(57)【特許請求の範囲】
【請求項１】
パチンコ島の端部に位置し、パチンコ島の内部の紙幣搬送ラインにて送られてきた紙幣を紙幣払出口側へ送り出し可能に貯め受けるスタッカ部を備えた紙幣回収払出装置において、前記紙幣搬送ラインから前記スタッカ部までの間に介在する紙幣搬送行程部を備え、その紙幣搬送行程部に、紙幣を一時貯留可能に貯め受け、貯め受けていた紙幣を前記スタッカ部に向けて前記紙幣搬送行程部に送り出し可能な副スタッカ部を設けたことを特徴とする紙幣回収払出装置。
【請求項２】
パチンコ島の端部に位置し、パチンコ島の内部の紙幣搬送ラインにて送られてきた紙幣を紙幣払出口側へ送り出し可能に貯め受けるスタッカ部を備えた紙幣回収払出装置において、前記スタッカ部は、紙幣を貯め受ける貯留箱を貯留箱取付部位に着脱可能に備えて、前記貯留箱の取り外し時に貯留箱取付部位側への紙幣の送り込みが可能に設けられていることを特徴とする紙幣回収払出装置。
【発明の詳細な説明】
【０００１】
【発明の属する技術分野】
本発明はパチンコ島の端部に設置されている紙幣回収払出装置に関するものである。
【０００２】
【発明が解決しようとする課題】
図３に概略的に示されているように、近年、複数台のパチンコ台ａを組み付けたパチンコ島ｂにおいては、遊技者が離席することなく貸し玉の払い出しや貸し玉情報を記録したプリペイド形式のカードの発行を受けることができるように、パチンコ台ａそれぞれの側方にパチンコ台間玉貸し機ｃが設置されるようになってきており、遊技者がそのパチンコ台間玉貸し機ｃに紙幣を投入することで希望金額に応じた貸し玉が払い出されるようにしたり、貸し玉情報を記録したカードを発行し、そのカードを利用して貸し玉の貸出し操作ができるようにしている。そして、前述したようにパチンコ島ｂに多く組み付けられているパチンコ台間玉貸し機ｃに紙幣を投入するようにしているため、その投入された紙幣を回収する紙幣搬送ラインｄがパチンコ島ｂの内部に設けられており、図３や特開平６−２３８０５８号公報に示されているようにパチンコ島ｂの端部に位置した紙幣回収部へ前記紙幣搬送ラインｄから紙幣が送り込まれるようにしている。さらに、その紙幣回収部を紙幣回収払出装置１としてカード発行両替機ｅや貸し玉機などと一体にし、回収された紙幣を両替機、カード発行機、貸し玉機での吊り銭として払い出せるようにしている。
【０００３】
図４は、回収される紙幣を釣り銭に利用することができるように、カード発行両替機に一体化された紙幣回収払出装置１を概略的に示している。この紙幣回収払出装置１は紙幣回収払出機構本体２に紙幣搬送行程部３が連結された構成とされ、その紙幣搬送行程部３と上述したパチンコ島の内部の紙幣搬送ラインｄとが紙幣の受け渡しが行えるように連動して搬送動作をしており、その紙幣搬送ラインｄから紙幣を受け渡された紙幣搬送行程部３が前記紙幣回収払出機構本体２に送り込むようにしている。そして、この紙幣回収払出装置１では紙幣搬送行程部から送られてきた紙幣を単に貯め受けるという動作の他に、紙幣回収払出機構本体２に設けられているスタッカ部４に外部から追加補充された紙幣を貯め置く動作やそのスタッカ部４から紙幣を払出口側に送り出す動作があり、これらの動作は紙幣搬送行程部からの紙幣を受ける場合と異なる動作を行っている。このため、紙幣の追加補充時や所定枚の紙幣を払い出すときには紙幣搬送ラインｄからスタッカ部４側に紙幣が送り込まれることのないように紙幣搬送行程部３と紙幣搬送ラインｄとを共に停止させるようにしていた。
しかしながら、上述したスタッカ部に外部から追加補充された紙幣を貯め置くときや紙幣を払い出すときに紙幣搬送ラインが停止するようになるため、この紙幣搬送ラインに紙幣を送り出す各パチンコ台間玉貸し機においても、投入された紙幣を紙幣搬送ラインの搬送動作が開始されるまで一時的に送り出せなくなるという不都合が生じていた。即ち、その間、パチンコ台間玉貸し機に対して紙幣の投入を受け付けないようにしなければならないという不都合がある。
また、図に示されているように、上記紙幣回収払出装置１のスタッカ部４には上面を開放し紙幣を重ね貯めるための貯留箱５があるが、この貯留箱に故障が生じて取り外す必要がある場合、スタッカ部と紙幣搬送行程部との連絡を切って紙幣搬送を停止させてから前記貯留箱を取り外すことになる。このため、貯留箱が取り外されている間においては上記紙幣搬送ラインも停止する必要がある。しかしながら、この場合においても前述したように貯留箱を取り付けるまでの間、各パチンコ台間玉貸し機それぞれで紙幣の送り出しが行えなくなるという不都合があった。
そこで本発明は上記事情に鑑み、スタッカ部の紙幣追加補充時や払出動作時、そしてそのスタッカ部から故障した貯留箱を取り外すときにおいても、紙幣搬送ライン側からの紙幣の送り込みを継続させるようにすることを課題とし、スタッカ部の貯め受け以外の動作時や貯留箱を取り外すときにおいても各パチンコ台間玉貸し機からの紙幣の送り出しが行われるようにすることを目的とする。
【０００４】
【課題を解決するための手段】
本発明は上記課題を考慮してなされたもので、
パチンコ島の端部に位置し、パチンコ島の内部の紙幣搬送ラインにて送られてきた紙幣を紙幣払出口側へ送り出し可能に貯め受けるスタッカ部を備えた紙幣回収払出装置において、前記紙幣搬送ラインから前記スタッカ部までの間に介在する紙幣搬送行程部を備え、その紙幣搬送行程部に、紙幣を一時貯留可能に貯め受け、貯め受けていた紙幣を前記スタッカ部に向けて前記紙幣搬送行程部に送り出し可能な副スタッカ部を設けたことを特徴とする紙幣回収払出装置を提供して、上記課題を解消するものである。
また、もう一つの発明は、パチンコ島の端部に位置し、パチンコ島の内部の紙幣搬送ラインにて送られてきた紙幣を紙幣払出口側へ送り出し可能に貯め受けるスタッカ部を備えた紙幣回収払出装置において、前記スタッカ部は、紙幣を貯め受ける貯留箱を貯留箱取付部位に着脱可能に備えて、前記貯留箱の取り外し時に貯留箱取付部位側への紙幣の送り込みが可能に設けられていることを特徴とする紙幣回収払出装置であり、この紙幣回収払出装置を提供して、上記課題を解消するものである。
【０００５】
【発明の実施の形態】
つぎに本発明を図１と図２に示す実施の形態に基づいて詳細に説明する。なお、図４に示す従来例と構成が重複する部分は同符号を付してその説明を省略する。
図１は第一の例を示していて、紙幣回収払出装置１における紙幣搬送行程部３には副スタッカ部６が設けられている。前記副スタッカ部６は上記紙幣搬送ラインｄから送り込まれて紙幣搬送行程部３を通る紙幣を貯め受けるとともに、この紙幣搬送行程部３の終端側である紙幣回収払出機構本体２に向けて送り出し可能に設けられている。また、前記副スタッカ部６は、通常は紙幣搬送ラインｄから紙幣搬送行程部３に送られてきた紙幣をそのまま終端側に向けて送り出す動作を行うように設けられているものであって、必要時に一時貯留可能に貯め受け、貯め受けていた紙幣を紙幣回収払出機構本体２に向けて再び紙幣搬送行程部３に送り出すようにしているものである。即ち、この副スタッカ部６は、紙幣回収払出機構本体２におけるスタッカ部４が上述した紙幣の追加補充動作や紙幣払出動作を行うときに、紙幣受け入れ可能な待機状態に入り、スタッカ部４が通常の待機状態に戻ったときに、その副スタッカ部６の待機状態が解除され、さらに、副スタッカ部６の待機状態時に該副スタッカ部６に紙幣が貯め受けられていた場合には、貯め受けた紙幣を送り出すようにしている。このようにスタッカ部４の紙幣追加補充時や紙幣払出動作時に副スタッカ部６が代わりに紙幣を貯め受けるようになるため、前記スタッカ部４の動作状態に関係なく紙幣搬送行程部３と紙幣搬送ラインｄが常時搬送動作するように設けられており、各パチンコ台間玉貸し機からの紙幣の送り出しが常時行えるようにしている。
【０００６】
図２は第二の例を示している。紙幣回収払出装置１のスタッカ部４には、貯留箱５を着脱自在に収納する取付部位７が設けられ、この取付部位７にその貯留箱５の有無を検出する検出手段８が設けられている。そして、この紙幣回収払出装置１にあっては、前記検出手段８による貯留箱５の非存在状態の検出に応じて、紙幣搬送行程部３が停止せずに紙幣の搬送動作が継続する搬送動作形態が予め設定されており、貯留箱５を取り外すと紙幣搬送行程部３の制御が前述の搬送動作態様に切り替わって紙幣を貯留箱取付部位７側に送り出すように設けられているものである。さらに、貯留箱５をその貯留箱取付部位７に取り付けて前記検出手段８が貯留箱５の存在を検出すれば、前述の搬送動作態様から通常の動作態様に戻るように設けられている。このように、貯留箱５を取り外されている時においても紙幣搬送行程部の搬送動作が継続されるようにしているため、紙幣搬送ライン側も常時搬送動作する態様に設定しておくことができ、紙幣搬送ライン停止によるパチンコ台間玉貸し機からの紙幣の送り出しを中断させる必要がない。
なお、上記例では貯留箱の取り外しを検出する検出手段を設け、その検出手段による検出から通常の搬送動作態様と紙幣搬送行程部を強制的に動作させる搬送動作態様が切り替わるようにして紙幣搬送行程部の紙幣搬送動作を継続させるようにしているが、前記検出手段の代わりに切り換えスイッチなどの搬送動作態様の切り換え手段を設け、貯留箱５が取付部位７から取り外され、通常の搬送動作が停止した場合においても、その切り換え手段により通常の搬送動作態様から強制的に動作させる搬送動作態様へ切り換えるようにすることも可能である。
【０００７】
【発明の効果】
以上説明したように、本発明の紙幣回収払出装置によれば、パチンコ島の端部に位置し、パチンコ島の内部の紙幣搬送ラインにて送られてきた紙幣を紙幣払出口側へ送り出し可能に貯め受けるスタッカ部を備えた紙幣回収払出装置において、前記紙幣搬送ラインから前記スタッカ部までの間に介在する紙幣搬送行程部を備え、その紙幣搬送行程部に、紙幣を一時貯留可能に貯め受け、貯め受けていた紙幣を前記スタッカ部に向けて前記紙幣搬送行程部に送り出し可能な副スタッカ部を設けたことを特徴とするものである、これによって、スタッカ部に対して紙幣の追加補充が行われている場合やそのスカッタ部によって紙幣の払出が行われている場合も、紙幣搬送行程部やパチンコ島側の紙幣搬送ラインを停止させることなく、副スタッカ部に紙幣を貯め置きでき、紙幣搬送ラインに紙幣を送り出すパチンコ台間玉貸し機による紙幣送り出しが常時可能になる。
また、もう一つの発明にあっては、パチンコ島の端部に位置し、パチンコ島の内部の紙幣搬送ラインにて送られてきた紙幣を紙幣払出口側へ送り出し可能に貯め受けるスタッカ部を備えた紙幣回収払出装置において、前記スタッカ部は、紙幣を貯め受ける貯留箱を貯留箱取付部位に着脱可能に備えて、前記貯留箱の取り外し時に貯留箱取付部位側への紙幣の送り込みが可能に設けられていることを特徴とする紙幣回収払出装置である。このようにスタッカ部の貯留箱を取り外しても貯留箱取付部位側へ紙幣を送り込むことができるようにしているため、紙幣搬送ラインから紙幣搬送行程部へ紙幣を送り出すことが常時可能となり、これによってもパチンコ台間玉貸し機からの紙幣の送り出しが常時行えるようになり、パチンコ台間玉貸し機の紙幣受入の中断を回避できるなど、実用性に優れた効果を奏するものである。
【図面の簡単な説明】
【図１】本発明に係る紙幣回収払出装置の一例を概略的に示す説明図である。
【図２】他の例を示す説明図である。
【図３】パチンコ島を示す説明図である。
【図４】従来例を示す説明図である。
【符号の説明】
１…紙幣回収払出装置
２…紙幣回収払出機構本体
３…紙幣搬送行程部
４…スタッカ部
５…貯留箱
６…副スタッカ部
７…貯留箱取付部位
８…検出手段
ｄ…紙幣搬送ライン
【図１】
0004187304.tif 000002
【図２】
0004187304.tif 000003
【図３】
0004187304.tif 000004
【図４】
0004187304.tif 000005